(57)【要約】【構成】  手書入力手段によってカルテのデータを電子化しデータベースに格納するとともに閲覧可能とした美容院用業務管理システムである。【効果】  顧客の過去の履歴から当該施術時のカルテを電子データとして閲覧することができる。この美容院用業務管理システムを使用すれば、電子化データを基幹として業務が行われている美容院にとって、カルテを参照する際にコンピュータを離れることなく電子化データを参照することができるため作業能率は向上するととともに折角導入したコンピュータシステムを有効に機能させることができる。【選択図】  図１
2005174017.tif 000002
【特許請求の範囲】
【請求項１】
手書入力手段によってカルテのデータを電子化しデータベースに格納するとともに閲覧可能とすることを特徴とする美容院用業務管理システム。
【請求項２】
請求項１の美容院用業務管理システムにおいて、前記データとして、施術後の顧客の画像ファイルを取り込みデータベースに格納可能としたことを特徴とする美容院用業務管理システム。
【請求項３】
請求項１の美容院用業務管理システムにおいて、顧客情報の表示画面にカルテと写真画像を同時に表示するようにしたことを特徴とする美容院用業務管理システム。
【請求項４】
請求項１の美容院用業務管理システムにおいて、カルテの入力時にはあらかじめテンプレートを画面に表示するようにしたことを特徴とする美容院用業務管理システム。
【請求項５】
請求項１の美容院用業務管理システムにおいて、アンケート作成、集計機能を備えていることを特徴とする美容院用業務管理システム。
【請求項６】
請求項１の美容院用業務管理システムにおいて、共有データベースを利用し、その中に国勢調査の町丁別人口統計を持たせることを特徴とする美容院用業務管理システム。
【請求項７】
請求項１の美容院用業務管理システムにおいて、受付画面で１ヶ月の日毎の予約件数を表示可能としたことを特徴とする美容院用業務管理システム。
【請求項８】
請求項１の美容院用業務管理システムにおいて、エステティックサロン等にも応用可能であることを特徴とする美容院用業務管理システム。
【発明の詳細な説明】
【技術分野】
【０００１】
この発明はパーソナルコンピュータを使用した美容院用業務管理システムに関し、主として美容カルテの作成のさい使用されるもので、特に、Ｔａｂｌｅｔを利用した、手書きカルテおよび画像ファイルをデータベースに格納することを特徴するものである。
【背景技術】
【０００２】
従来における美容院の業務管理は、顧客の氏名・住所等の個人データのみを電子化し、それ以外の過去における顧客の施術内容はカルテとして紙ベースで管理されていた。
【０００３】
【特許文献１】特開２０００−２６８１０２
【特許文献２】特開２００１−２０２４４６
【特許文献３】特開２００１−３４４４９２
【特許文献４】特開２００１−３５０９９８
【特許文献５】特開２００２−３２６７５
【特許文献６】特開２００２−５６２６０
【特許文献７】特開２００２−１４０５００
【特許文献８】特開２００２−１９７３３０
【発明の開示】
【発明が解決しようとする課題】
【０００４】
しかしながら、従来の美容院はコンピュータシステムが導入され、電子化データを基幹として業務が行われているため、カルテを参照する際にコンピュータを離れ紙ベースでファイリングされたデータを参照することは作業能率を低下させるとともに折角導入したコンピュータシステムが有効に機能させにくいという不都合を有した。
【０００５】
この発明の課題は前記不都合を解消することである。
【課題を解決するための手段】
【０００６】
この課題を達成するために、この発明に係る美容院用業務管理システムにおいては、手書入力手段によってカルテのデータを電子化しデータベースに格納するとともに閲覧可能としたものである。
【０００７】
また、前記データとして、施術後の顧客の画像ファイルを取り込みデータベースに格納可能とすることもできる。
【０００８】
また、顧客情報の表示画面にカルテと写真画像を同時に表示するようにすることもできる。
【０００９】
また、カルテの入力時にはあらかじめテンプレートを画面に表示するようにすることもできる。
【００１０】
また、アンケート作成、集計機能を備えることもできる。
【００１１】
また、共有データベースを利用し、その中に国勢調査の町丁別人口統計を持たせることもできる。
【００１２】
また、受付画面で１ヶ月の日毎の予約件数を表示可能とすることもできる。
また、エステティックサロン等にも応用することもできる。
【発明の効果】
【００１３】
この発明に係る美容院用業務管理システムは、手書入力手段によってカルテのデータを電子化しデータベースに格納するとともに閲覧可能としたため、
顧客の過去の履歴から当該施術時のカルテを電子データとして閲覧することができる。
【００１４】
よって、この美容院用業務管理システムを使用すれば、電子化データを基幹として業務が行われている美容院にとって、カルテを参照する際にコンピュータを離れることなく電子化データを参照することができるため作業能率は向上するととともに折角導入したコンピュータシステムを有効に機能させることができるものである。
【００１５】
なお、前記データとして、施術後の顧客の画像ファイルを取り込みデータベースに格納可能とすれば、施術後の顧客の画像ファイルを携帯電話などの携帯端末からも閲覧できる。
【００１６】
また、顧客情報の表示画面にカルテと写真画像を同時に表示するようにすれば、あいまいな人間の記憶に頼ることなく、過去の施術内容の詳細部分を確認する事ができる。
【００１７】
また、カルテの入力時にはあらかじめテンプレートを画面に表示するようにすれば、紙ベースのカルテ記入と遜色ない操作性・簡易性を実現することができる。
【００１８】
また、アンケート作成、集計機能を備えるようにすれば、ＷＥＢでの顧客側からのアンケート入力、その結果を店舗側での確認が行える。また簡単なウィザードに答えるだけでアンケート用のHTMLを自動で作成できるので、ＷＥＢアンケート機能を利用する際に特別な知識を必要としないものである。
【００１９】
また、共有データベースを利用し、その中に国勢調査の町丁別人口統計を持たせれば、システム利用店舗の商圏のシェア率確認などエリアマーケティングに直結した分析が行える。このデータベースの更新・取込作業は店舗側の顧客データベースと照らし合わせ全て自動で行う。
【００２０】
また、受付画面で１ヶ月の日毎の予約件数を表示可能とすれば、店舗側の利便性に寄与することもできる。
【００２１】
また、エステティックサロン等にも応用可能にすれば、その利用範囲は拡大する。ここに、エステティックサロン等とはエステティックサロン以外にマッサージサロン，ネイルサロン等が該当する。
【００２２】
本発明において、この業務管理システムはパーソナルコンピュータのみ、又は、パーソナルコンピュータおよびインターネット網を技術構成とした装置として実施可能である。
【００２３】
「手書入力手段」とは、TabletＰＣを利用してペン書きによって行われるコンピュータを利用した入力手段である。
【発明を実施するための最良の形態】
【００２４】
本発明は、美容院におけるカルテの電子データ化ができることに最も主要な特徴を有する。美容院のコンピュータ化に適用しやすいものである。
【００２５】
１．カルテの電子化                                                          (1).手書きカルテの電子化の流れ。まず当システムの顧客情報表示ページよりカルテタブを選択すると、当日の無記入カルテテンプレートと過去3回分の施術時に保存されたカルテファイルのサムネイル画像の計４画像が時系列に並び表示される。
【００２６】
(2).上記のカルテテンプレートとは人の頭部が横から見た図と上から見た図の二つが上下に並び表示されたものである。
【００２７】
(3).(1) の当日無記入カルテテンプレートをクリックすると当日の日付及び顧客コードからなるファイルを自動で作成し、その入力画面が立ち上がり拡大された頭部の図二つに入力が可能となる。
【００２８】
(4).入力画面より適宜入力をしていき（この作業は通常の紙ベースにおけるカルテ入力と違いがない。）終了後上書き保存でシステム画面に戻る。
【００２９】
(5).当日のカルテが入力された後は、システムの顧客情報表示ページカルテタブ上の当日データはファイル（例えば、ジャーナルファイル）のサムネイル表示となり、過去３回のサムネイルと同様に表示される。
【００３０】
(6).全てのサムネイル画像はクリックされると入力画面となり編集が可能であると同時に拡大されて表示される。
【００３１】
２．画像取り込み・画像閲覧
(1).次に画像ファイルの自動リサイズとデータベースへの格納方法を述べる。まず会計時など施術終了後の顧客に対しシステムに付属しているCCD カメラより施術後の画像をキャプチャする。
【００３２】
(2).画像がキャプチャされるとそれをトリガにプログラムが働き、キャプチャした画像をインターネット経由で顧客のパーソナルコンピュータに表示するPC用の画像サイズと、同じくインターネット経由で顧客の携帯電話の画面上に表示する携帯用画面サイズの2種類にリサイズし、それぞれ日付と店舗コード並びに顧客コード、ファイル種を元にファイル名を付与し保存する。
【００３３】
(3).保存された2つのデータはローカルのシステムが稼動しているパーソナルコンピュータと、インターネットから閲覧できるよう共有サーバの２箇所にそれぞれ保存される。
【００３４】
(4).ローカルに保存された携帯用画像は上記カルテと同様、顧客情報表示ページより画像タブをクリックすると時系列に従って最新のものから4ファイル表示される。
【００３５】
３．アンケートの作成・集計
(1).続いてアンケート作成・集計機能での説明に移る。当システムのアンケート機能よりアンケート項目10及び前書き・後書きを入力すると共有サーバのデータベースに当該項目が書き込まれる。
【００３６】
(2).ＷＥＢサーバ上にある閲覧用ファイルはあらかじめ上記データベースの項目を抽出しHTMLを自動生成するようなスクリプトが書かれており、店舗側より新たにアンケート項目がデータベースに書き込まれた瞬間からそのページに反映される。
【００３７】
(3).インターネット経由でアンケートページにアクセスしアンケートの入力を行った顧客のアンケートデータは共有サーバ上のデータベースに書き込まれ、店舗側プログラムからその集計が可能になる。
【００３８】
４．エリアマーケッティング
(1).当システムでは複数の店舗がそれぞれ専用のサーバを用いるのではなく、コスト的に有利な共有サーバを利用する。共有サーバを使用するので国勢調査のデータなど非常に大きく、それぞれのサーバに導入すると時間もコストも大幅にかかってしまうデータを共有することが出来るので、そのメリットを利用しエリアマーケティングに結びつける事を可能にしている点もこのシステムの大きな特長である。
【００３９】
(2).まず当システムの運営側で最新の国勢調査町丁別人口統計データを共有サーバに保存する。
【００４０】
(3).各店舗においては自店の商圏範囲を郵便番号にて入力し、その商圏範囲での自店登録顧客データと照らし合わせ、各地域での顧客獲得率（シェア率）などを表示できる。
【００４１】
(4).表示されたシェア率から任意に選択された郵便番号地域に対してのみのＤＭ（ダイレクトメール，以下同じ）発行などのプロモーションを行えるので、無駄のない商圏拡大プロモーションに寄与する。
【００４２】
(5).また通常システムの待ち受け状態になっているであろう受付画面にカレンダー表示で１ヶ月の日毎予約数を確認できるので、より直感的に店舗の予約状況を確認できる。
【００４３】
(6).またこのカレンダー表示にはインターネットでの予約が入り、その予約を店舗側で未確認の場合数字が太字で表示され確認を促すので、店舗側で気付かない事態を防ぐことが可能である。
【実施例１】
【００４４】
図１はこの発明に係るカルテ作成システムのフローチャート、図２は画像取り込みシステムのフローチャート、図３は画像閲覧システムのフローチャート、図４はＷＥＢでの画像閲覧システムのフローチャート、図５はアンケート作成アンケート集計システムのフローチャート、図６はアンケート回答システムのフローチャート、図７はエリアマーケッティングシステムフローチャートである。
【００４５】
１．カルテの電子化
図１に基づいて、カルテの電子化について説明する。
(1).メインメニューよりカルテをクリックして、顧客カルテの表示・編集処理を開始する。
(2).検索メニューより当該顧客を選択する。検索方法としては、会員カード等バーコードによる検索，顧客名による検索，電話番号による検索等を使用する。
(3).選択された顧客のカルテを表示するために、顧客表示画面よりカルテボタンをクリックする。顧客情報としては、住所電話番号等の基本情報の表示，過去の施術履歴・商品購入履歴等の表示，過去の施術時に記録した写真画像の表示が存在する。
(4).カルテには履歴、スケジュール、カルテ、写真が表示されるのでその中よりカルテタブをクリックする。
(5).カルテタブに過去のカルテ３枚と新規（当日）のカルテ（入力分）１枚、合計４枚が表示される。施術履歴がありカルテデータのないものは、新規カルテテンプレートを履歴に合わせて表示する。
A．新規に作成する場合には当日分の未記入カルテをクリックする。未記入カルテは通常のカルテと同様のテンプレートになっている。
a. 新規カルテが拡大表示されるので通常の紙に記述するように、Tablet PC の画面をペンでなぞることで手書き入力が可能である。なお、ペンの色や太さも画面上で変更することができる。
b. 一通り記入を終えたら保存ボタンをクリックすることでファイルがウインドウズジャーナルファイルとして格納され保存される。また、同時にDB (データベース) にバックアップが送信される。「顧客カルテの表示・編集処理」のプログラムが終了する。
また、保存確認時は、保存のキャンセルも選択できる。キャンセルの場合にはそれぞれの処理に戻る。保存ＮＯの場合には、「顧客カルテの表示・編集処理」のプログラムが終了する。
B. 過去のものを閲覧・編集する場合には当該の日のカルテをクリックする。
a. 選択された日付のカルテが拡大表示される。記入済みカルテは前回の記入通りに表示される。編集する場合には、新規カルテと同様に手書きによって書換え作業を行う。閲覧の場合にはそのまま閲覧する（この場合、その場で編集可能である）。
b. 編集・閲覧を終えたとき、カルテの内容に変更があったか否かが判断される。変更ありの場合には、保存の判断がされる。保存する場合には保存ボタンをクリックし、保存せず終了する場合には拡大表示そのものを閉じる。この際元のファイルから変更されている場合にはメッセージ等が表示され保存を促す。保存の方法は新規作成の場合と同様であり、保存されたファイルはＤＢサーバにバックアップされる。
一方、カルテに変更のない場合、この「顧客カルテの表示・編集処理」のプログラムが終了する。この場合、元のファイルが維持される。
（6)．なお、このプログラムを終了する場合には、拡大表示を閉じ、カルテ画面に戻りその後カルテ画面を閉じればカルテの入力・編集・閲覧作業は終了する。
【００４６】
２. 画像の取り込み
図２に基づいて「画像の取り込み」について説明する。
(1). 顧客に対する施術が終了し会計を済ますと会計メニューにある画像取り込みボタン（会計画面にある写真撮影ボタン）がクリック可能となる。このボタンをクリックすることで画像取り込み処理が開始される。
(2). ＰＣの画面上にて顧客の映像を確認しシャッターボタンをクリックすることによって、ＰＣの外部接続カメラにて撮影する。すると、ＰＣの画面上に画像が取り込まれるのでその写真でよければＯＫをクリックし次の行程に進む。取り直す場合には「取消し」をクリックし再びシャッターボタンを押す。
（3)．ＯＫがクリックされるとＰＣの一時記憶領域に画像が保存されるので、そのファイルにプログラムが必ず一意になるように、顧客データ（顧客ＩＤ，日付等）から画像ファイルのファイル名を決定する。
（4)．一時記憶領域からパソコン又は携帯電話で閲覧するための画像がファイルとしてローカルＰＣ画像データとして保存される。このとき、ローカルＰＣ記録領域が参照される。
（5)．ローカルＰＣに保存された「ファイル」は、データベース同期指示がされ、そのままＤＢサーバにバックアップされる。すなわち、インターネット経由で閲覧可能なようにサーバ側データベースと同期をとる。
（6)．画像取り込み処理が終了する。
【００４７】
３．画像の閲覧
図３に基づいて「画像の閲覧」について説明する。
(1). 画像データ閲覧処理を開始する。メインメニューより選択された顧客の写真画像を閲覧するためにカルテボタンをクリックする。
（2)．検索メニューより当該顧客を選択する。検索方法としては、会員カード等バーコードによる検索，顧客名による検索，電話番号による検索等を使用する。
(3). 顧客情報表示画面より画像タブを選択する。顧客情報としては、住所電話番号等の基本情報の表示，過去の施術履歴・商品購入履歴等の表示がされる。過去の施術時に記録した写真画像の表示が存在する。
カルテには、履歴、スケジュール、カルテ、写真が表示されるのでその中より写真タブをクリックする。また、カルテの作成・表示・編集が可能である。  
（4)．写真タブを選択すると過去の画像を実際のサイズより縮小して２回分の写真画像が一覧表示される。そのままの状態で閲覧する場合には何もしない。より過去の写真を閲覧する場合には写真タブの中にある矢印をクリックすることでより過去の写真を表示させる。なお、画像データのないものはそのまま空白を表示する。
（5)．拡大表示をするか否かが選択される。
拡大表示をする場合、拡大表示をした写真をクリックする。そして、閲覧後、閲覧を終了させ、写真画像の一覧表示の画面に戻る。
拡大表示をしない場合、閲覧後、閲覧を終了させ、顧客情報表示画面を閉じ、画像データ閲覧処理を終了する。なお、この閲覧中においても、写真をクリックすればいつでも拡大することができる。
（6)．閲覧終了するときはカルテ画面を閉じて終了する。
【００４８】
４．ＷＥＢでの画像閲覧
図４に基づいて「ＷＥＢでの画像閲覧」について説明する。
（1)．画像データ閲覧処理ＷＥＢ版を開始する。まずは、インターネットの指定のサイトにアクセスする。
（2). トップ画面ではキャリアごとにリダイレクトする。ＰＣからの要求なのか携帯電話からの要求なのか、また、携帯電話であればどこのキャリアを利用しているかなどを考えてそれぞれ専用のサイトへリダイレクトする。
（3)．それぞれのリダイレクト先はログイン画面になるのでＩＤ，パスワードを入力し、ＩＤ，パスワードに間違いがなければメインメニューに進む。なお、ＩＤとしてはｅ-mail アドレスが採用され, パスワードについては来店時に付与されたものが使用される。
顧客データを参照して、認証がＯＫの場合に次の工程に進む。ＮＯ場合には認証を繰り返す。
（4)．メニューを選択する。画面より履歴参照を選択する。メインメニューには、予約，アンケート，ユーザ情報編集，画像閲覧の各メニューがあるのでその中より「画像閲覧」を選択する。
（5)．顧客データを参照することによって、過去の来店履歴（施術履歴）が一覧表示されるのでその中より閲覧したい日を選択する。
（6)．選択された日付の画像データが、ＤＢサーバを参照して表示される。
（7)．閲覧が終了したら（5)の「一覧表示」へ戻る。
（8)．他の日も閲覧する場合には、その該当の日を選択し（5)から(7) を繰り返す。
（9)．メインメニュー（メニュー選択画面）へ戻る。
(10).画像データ閲覧処理ＷＥＢ版を終了する。
【００４９】
５．アンケートの作成
図５に基づいて「アンケートの作成」について説明する。
（1)．アンケート作成・集計処理を開始する。アンケート作成の場合には、メインメニューより保守メニューを選択し、その中より「アンケート」をクリックする。
（2)．新規作成を選択し、アンケート作成フォームに必要事項を入力する。必要事項はヘッダ文, フッタ文, お礼文, 開始・終了日時, アンケート内容, 回答方法等である。
（3)．入力を終了すると保存か否かのメッセージが表示されるので保存する場合には「保存」をクリックする。
（4)．ローカルコンピュータのＤＢにアンケートデータの内容がファイルとして保存され、それど同時にＤＢサーバと同期をとる。
（5)．ファイル保存、ＤＢサーバとの同期が終了するとアンケート作成処理は終了する。
【００５０】
６．アンケートの集計
図５に基づいて「アンケートの集計」について説明する。
（1)．アンケートの集計作成の場合には、「５．アンケートの作成」同様に保守メニューより「アンケートの集計」を選択する。
（2)．アンケートの集計を選択すると、「終了分・実施中のアンケート」が一覧表示されるので、その中より集計したいアンケートを選択する。終了分のアンケート集計は次の行程（3)へ進み、実施中のアンケートのアンケートの場合には（4)の行程に進む。
（3)．集計結果表示, 印刷, 保存処理の行程において、ＤＢのアンケートテーブルから該当のアンケートデータを集計し表示する。表示にはグラフ，一覧を駆使して一目でアンケートの概要を把握することができる。
（4)。途中集計結果表示, 印刷, 保存処理の行程において、（3)同様アンケートテーブルから該当のアンケートデータを集計し表示する。実施中のアンケートに限りそのアンケートを中止することができる。
（5)．中止する場合ローカルのファイルとＤＢサーバのアンケートデータの終了日時を現在のシステム時間として終了する。
（6)．アンケート集計結果の表示は印刷することもできる。また、表示を閉じることで「アンケート集計処理」は終了する。
【００５１】
７．アンケートの回答
図６に基づいて「アンケートの回答」について説明する。
（1)．アンケートの回答処理を開始する。顧客が「アンケートに回答」する場合は、ＷＥＢでの画像閲覧と同様にインターネットの指定のサイトにアクセスする。
（2). トップ画面ではキャリアごとにリダイレクトする。ＰＣからの要求なのか携帯電話からの要求なのか、また、携帯電話であればどこのキャリアを利用しているかなどを考えてそれぞれ専用のサイトへリダイレクトする。
（3)．それぞれのリダイレクト先はログイン画面になるのでＩＤ，パスワードを入力し、ＩＤ，パスワードに間違いがなければメインメニューに進む。なお、ＩＤとしてはＥ−ＭＡＩＬアドレスが採用され, パスワードについては来店時に付与されたものが使用される。
顧客データを参照して、認証がＯＫの場合に次の工程に進む。ＮＯ場合には認証を繰り返す。
（4). メニュー選択画面より履歴参照を選択する。メインメニューより「アンケート」を選択することで「アンケート回答」に移る。メニューには他に予約, 履歴，ユーザ情報編集などの選択枝がある。
（5)．アンケートデータを参照して、実施中アンケートが表示される。
（6). アンケートデータおよび顧客データを参照して、回答済みか否かが判断される。
既に回答済みの場合には「ありがとうございました」と表示されるのみで回答することができない。メニュー選択画面に戻る。
（7).   未回答の場合には表示されている「アンケート」をクリックすることで「回答」に移る。
（8). 各質問に回答し全てを入力後確認し「送信ボタン」をクリックする。
（9)．システムが回答をチェックし不正な入力がないか、必須項目に漏れがないかをチェックする。チェックＯＫなら（9)の行程へ、チェックＮＧなら（5)にエラーメッセージとともに戻り入力を促す。
（10) ．回答保存処理を行うために、ＤＢサーバのアンケートデータに回答内容を書き込み次ページでお礼を表示する。お礼表示ページでは、「Thank you 」表示をしたり、クーポン券のダウンロードを行う。
（11).お礼表示画面を閉じることで「アンケート回答処理」が終了し、からメインメニューに戻る。
【００５２】
８．エリアマーケッティング
図７に基づいて「エリアマーケッティング」について説明する。
（1)．エリアマーケッティング集計・分析を開始する。「エリアマーケッティング」の各機能を使用するには、分析メニューより「エリアマーケッティング」を選択する。その後、処理を選択する。処理には、商圏分布状況表示およびサーバデータベースの同期がある。
（2). 状況表示をするか否かが判断される。
状況表示の場合には、状況表示をクリックし（3)の行程へ、サーバＤＢとクライアントＤＢの同期処理の場合は（８）の行程へ進む。
（3)．各店舗で登録されている各地域の町丁別人口データを国勢調査データを参照し抽出する。
（4). 各店舗のシェア率を顧客マスタと抽出された人口データより演算し表示する。
（5)．予め設定されたシェア率を下回る場合一目で分かるように目印を表示する。この場合、運用設定テーブルを参照する。
（6)．リスト表示された地域より選択された顧客に対し、ＤＭ発行及びＥ−ＭＡＩＬ配信ができる。
（7). 一覧表示画面を閉じることで「エリアマーケッティング」の分析処理は終了する。
（8)．サーバ上国勢調査データとクライアントＤＢの同期を指示する。
（9)．両ＤＢの同期完了でサーバＤＢとクライアントＤＢとの同期処理は終了する。
【産業上の利用可能性】
【００５３】
美容院における美容カルテの作成・管理する際に利用でき、ひいては、美容院のトータルコンピュータ化に利用できるものである。
【図面の簡単な説明】
【００５４】
【図１】図１はこの発明に係るカルテ作成システムのフローチャートである。
【図２】図２は画像取り込みシステムのフローチャートである。
【図３】図３は画像閲覧システムのフローチャートである。
【図４】図４はＷＥＢでの画像閲覧システムのフローチャートである。
【図５】図５はアンケート作成アンケート集計システムのフローチャートである。
【図６】図６はアンケート入力システムフローチャートである。
【図７】図７はエリアマーケッティングシステムフローチャートである。
【図１】
2005174017.tif 000003
【図２】
2005174017.tif 000004
【図３】
2005174017.tif 000005
【図４】
2005174017.tif 000006
【図５】
2005174017.tif 000007
【図６】
2005174017.tif 000008
【図７】
2005174017.tif 000009